(57)【要約】【課題】従来の枠組足場では、各階層の高さを建枠の規格品高さより高くするのに、構造が複雑になる一方、巾木を取付けるための構造が複雑となっていた。【解決手段】上下に積層される２つの建枠１，１における上下に対応する両脚柱１１，１１の端部同士を連結するための枠組足場用の連結ピン５として、長さ方向中間部に設けられていて下側脚柱１１に対して上側脚柱１１を所定高さ嵩上げし得る長さＴを持つ嵩上げ用長寸部５１を有しているとともに、嵩上げ用長寸部５１の外面の少なくとも対向する２位置に、巾木６の端部６ａを係脱自在に係合させ得る縦向きの係止リブ５４，５４を設けていることにより、簡単な構造の連結ピン５で枠組足場の各階層の高さを高くでき、さらに該連結ピン５を巾木６の装着用として有効利用している。【選択図】  図１
2020200639.tif 000002
【特許請求の範囲】
【請求項１】
上下に積層される２つの建枠（１，１）における上下に対応する両脚柱（１１，１１）の端部同士を連結するための枠組足場用の連結ピン（５）であって、
長さ方向中間部に設けられていて下側脚柱（１１）に対して上側脚柱（１１）を所定高さ嵩上げし得る長さ（Ｔ）を持つ嵩上げ用長寸部（５１）と、該嵩上げ用長寸部（５１）の上下端部にそれぞれ下側脚柱（１１）及び上側脚柱（１１）の各端部開口（１５，１６）内にそれぞれ挿入可能な上下各挿入部（５２，５３）とを有しているとともに、
上記嵩上げ用長寸部（５１）の外面の少なくとも対向する２位置に、巾木（６）の端部（６ａ）を係脱自在に係合させ得る縦向きの係止リブ（５４，５４）を設けている、
ことを特徴とする枠組足場用の連結ピン。
【請求項２】
請求項１において、
上記係止リブ（５４）は、上記嵩上げ用長寸部（５１）の外面における周方向に角度９０°間隔を持つ４箇所にそれぞれ設けている、
ことを特徴とする枠組足場用の連結ピン。
【請求項３】
請求項１又は２の枠組足場用の連結ピン（５）を使用して上下に積層される２つの建枠（１，１）の上下に対応する両脚柱（１１，１１）の端部同士を連結して構築された枠組足場において、
枠組足場における同一高さの左右に隣接する２つの連結ピン（５，５）を、該各連結ピン（５，５）に設けている各側の係止リブ（５４，５４）が相互に対向する状態で設置し、
枠組足場に使用される巾木（６）として、該巾木（６）の長さ方向各端部（６ａ，６ａ）に上記係止リブ（５４）に対して上方から係合させ得る縦向きの係合溝（６１，６１）を設けたものを使用し、
枠組足場における同高さ位置で左右又は前後に隣接する位置にある２つの連結ピン（５，５）の各側の係止リブ（５４，５４）に巾木（６）の各係合溝（６１，６１）をそれぞれ上方から係合させて、両連結ピン（５，５）間に巾木（６）を装着している、
ことを特徴とする枠組足場の巾木取付構造。
【発明の詳細な説明】
【技術分野】
【０００１】
本願発明は、上下に積層される２つの建枠における上下に対応する両脚柱の端部同士を連結するための枠組足場用の連結ピンと、該連結ピンを使用した枠組足場の巾木取付構造に関するものである。
【背景技術】
【０００２】
枠組足場は、建設現場において建設予定建物の外壁に近接して設置され、主として建物の外壁工事をするときの足場として使用されるものである。尚、本願の説明において、「左右」とは建物外壁に対して水平方向に沿う方向のことであり、「前後」とは建物外壁に対して垂直方向に近接・離間する方向のことである。
【０００３】
図７に示すように、枠組足場に使用される一般的な建枠１は、前後一対の脚柱１１，１１の上端部同士を横架材１２で連結しているとともに、脚柱１１と横架材１２に跨がって補強枠１３を取付けて構成されている。この種の建枠１は、一対の脚柱１１，１１間の間隔が異なる数種類のものがある。
【０００４】
建枠１の各脚柱１１，１１はパイプ製であり、該脚柱１１の上下各端部はそれぞれ開口している（図８の符号１５，１６参照）。
【０００５】
そして、この建枠１は、複数個を上下に積層して図９に示すような枠組足場を構築するが、建枠１，１を上下に積層するには、図７及び図８に示すように上下に対応する各側の脚柱１１，１１の端部同士をそれぞれ連結ピン４，４で連結して、順次所定階層まで積層させる。尚、図９に示す建枠積層形態は、図示しないが左右に隣接する建枠同士をそれぞれ筋かいで連結して、上下・左右に所定面積を有する一体の枠組足場として構築される（図２参照）。又、左右に隣接する建枠１，１の両横架材１２，１２間には、作業者が歩行するための布板が架設される（図２の符号２を参照）。
【０００６】
ところで、市販されている一般的な建枠１の高さＡ（図７参照）は、殆どが１７００mmに規格化されている。他方、従来から使用されている脚柱連結用の連結ピン４は、図８に示すように短小長さＳ（Ｓ＝２５mm）の短寸部４１の上下に所定長さＵ（Ｕ＝約１００mm）の挿入部４２，４３を一体形成したものである。
【０００７】
連結ピン４の短寸部４１は、外径が脚柱１１の外径と同じ（例えば約４３mm）で、上下の挿入部４２，４３を下側脚柱１１の上部開口１５及び上側脚柱１１の下部開口１６にそれぞれ挿入させたときに、その挿入深さＵ（Ｕ＝約１００mm）を決めるためのストッパーとして機能するものである。そして、連結ピン４全体をコンパクトに製作する観点から、上記短寸部４１の長さを可及的に短小長さＳ（Ｓ＝２５mm）に規格化している。
【０００８】
上記全体高さＡの建枠１と上記短小長さＳの短寸部４１を持つ連結ピン４とを使用して構築した枠組足場では、図９に示すように各階層（１階当たり）の高さＡ’がＡ（１７００mm）＋Ｓ（２５mm）の１７２５mmとなる。尚、枠組足場の各階層には、それぞれ布板（厚さが３０mm程度）が敷設されている関係で、各階層の実質的な有効高さは１７００mm弱になる。
【０００９】
ところが、作業者の身長は、１７００mmを超える人も多々あり、そのような高身長の作業者が枠組足場の各階層の布板上で作業をしたり歩行する際には、身体を屈める必要があるので、布板上での作業時や歩行時に窮屈な姿勢になるという問題があった。
【００１０】
他方、従来から１個当たりの建枠の高さを高身長の人の背丈より若干高くする要望がある。そして、建枠の高さを調整し得るようにした公知例として、例えば特許文献１（実用新案登録第３０１７０６１号公報）に開示されたものがある。この特許文献１のものは、建枠の前後各脚柱を上下に２分割した２本のパイプで構成し、その上下パイプを径の異なる内管と外管にして、その両パイプを伸縮自在に嵌挿し、両パイプを任意の嵌挿位置でピン固定することで、脚柱の全体長さを調整し得るようにしている。
【００１１】
又、公知の枠組足場の中には、例えば特許文献２（特開２０１４−９８３０３号公報）に開示されるように、各階層の布板（足場板）の端縁近傍に小物品（例えばボルト等）が落下するのを防止するための巾木を取付けたものがある。この特許文献２に使用されている巾木には、その両端部にそれぞれ横架材に係止する垂直フックと脚柱に係止する水平フックとを取付けている。そして、各側の垂直フック及び水平フック（全部で４つのフック）をそれぞれ横架材と脚柱に係止することで、この巾木を安定姿勢で布板の端縁近傍に組付けることができる。
【先行技術文献】
【特許文献】
【００１２】
【特許文献１】実用新案登録第３０１７０６１号公報
【特許文献２】特開２０１４−９８３０３号公報
【発明の概要】
【発明が解決しようとする課題】
【００１３】
ところが、上記特許文献１のように、建枠の高さを調節するのに建枠の各脚柱を上下に２分割して両パイプを伸縮調整し得るようにしたものでは、建枠の上下高さを所望高さに調整できるものの、脚柱を上下２本のパイプに分割していること及びその両パイプを固定するための固定ピンが必要であること等により部材点数が多くなるとともに、所定の長さに調整するための作業（両パイプのピン穴の位置合わせとピンの差込み作業）が面倒である、という問題があった。
【００１４】
他方、上記特許文献２のものは、各階層の布板の端縁近傍に小物品脱落防止用の巾木を組付けたものであるが、この巾木を安定姿勢で組付けるために、巾木の両端部にそれぞれ２つずつの組付具（垂直フックと水平フック）を取付けているので、組付具（フック）の個数が多く（４つ）且つそれらの組付具の取付作業が必要であるとともに、巾木両端部の各組付具（２つずつある）をそれぞれ横架材と脚柱に係止する必要があるので、その組付作業が繁雑となる、という問題があった。
【００１５】
そこで、本願発明は、上記の各事情に鑑み、上下に積層させる両建枠の脚柱を連結するための連結ピンを工夫して、各階層の建枠高さを所望高さまで高くし得るようにするとともに、その連結ピンを利用して小物品落下防止用の巾木を装着し得るようにすることを目的としている。
【課題を解決するための手段】
【００１６】
本願発明は、上記課題を解決するための手段として次の構成を有している。
【００１７】
［本願請求項１の発明］
本願請求項１の発明は、添付の図１〜図６に例示するように、上下に積層される２つの建枠１，１における上下に対応する両脚柱１１，１１の端部同士を連結するための枠組足場用の連結ピン５を対象にしている。
【００１８】
そして、本願請求項１の発明の枠組足場用の連結ピン５は、図１に示すように、長さ方向中間部に設けられていて下側脚柱１１に対して上側脚柱１１を所定高さ嵩上げし得る長さＴを持つ嵩上げ用長寸部５１と、該嵩上げ用長寸部５１の上下端部にそれぞれ下側脚柱１１及び上側脚柱１１の各端部開口１５，１６内にそれぞれ挿入可能な上下各挿入部５２，５３とを有している。
【００１９】
連結ピン５の嵩上げ用長寸部５１は、上下各脚柱１１，１１の端部開口１５，１６の内径より大径（脚柱１１の外径と同じ）で、上側建枠を下側建枠に対して所望高さだけ嵩上げし得る長さＴ（実施例ではＴ＝２００mm）を有している。
【００２０】
連結ピン５の上下各挿入部５２，５３は、脚柱１１の端部開口１５，１６内に過不足なし（ガタツキなし）に挿入し得る外径で、それぞれ所定の挿入長さＵ（実施例ではＵ＝１００mm）を有している。
【００２１】
又、この連結ピン５には、上記嵩上げ用長寸部５１の外面の少なくとも対向する２位置に、巾木６の端部６ａを係脱自在に係合させ得る縦向きの係止リブ５４，５４を設けている。
【００２２】
本願請求項１の発明の連結ピン５は、図２及び図３に示すように上下に積層される２つの建枠１，１における上下に対応する両脚柱１１，１１の各端部間に介設して、各階層の高さを規格品である建枠１の高さＡ（Ａ＝１７００mm）より嵩上げ用長寸部５１の長さＴ（Ｔ＝２００mm）だけ高い上下高さＢ（Ｂ＝１９００mm）を確保するための使用される。
【００２３】
そして、この連結ピン５は、上下の建枠１，１を積層させる際に、図１、図５〜図６に示すように、下側脚柱１１の上部開口１５内に連結ピン５の下向き挿入部５２を挿入した後、その連結ピン５の上向き挿入部５３に上側脚柱１１の下部開口１６を嵌合させることで、上側脚柱１１を下側脚柱１１に対して嵩上げ用長寸部５１の長さＴ（Ｔ＝２００mm）だけ嵩上げすることができる。
【００２４】
他方、この種の枠組足場には、各階層の布板２の端縁近傍に小物品落下防止用の巾木６が装着することがある。この場合、巾木６の左右両端部６ａ，６ａには、連結ピン５に設けている係止リブ５４に上方から係合し得る縦向きの係合溝６１，６１を設けておく。
【００２５】
又、本願請求項１の発明の連結ピン５（上記係止リブ５４，５４が対向する２位置にだけ設けているものの場合）を巾木６の装着用に利用するには、連結ピン５を上下の脚柱１１，１１間に介設する際に、同一高さで左右に隣接する２つの連結ピン５，５を、該各連結ピン５，５に設けている各側の係止リブ５４，５４が相互に対向する状態で設置しておく。
【００２６】
そして、枠組足場の各階層に巾木６を装着するには、同高さ位置で左右に隣接する位置にある２つの連結ピン５，５の対向する各係止リブ５４，５４に巾木６の各係合溝６１，６１をそれぞれ上方から係合させることで、左右の両連結ピン５，５間に巾木６を装着できる。
【００２７】
又、上記係止リブ５４は、嵩上げ用長寸部５１の外面の対向する２位置に設けているので、１つの連結ピン５を兼用して該連結ピン５の左右両側に各巾木６，６の端部を係合させることができる。
【００２８】
［本願請求項２の発明］
本願請求項２の発明は、請求項１の枠組足場用の連結ピンにおいて、係止リブ５４は、上記嵩上げ用長寸部５１の外面における周方向に角度９０°間隔を持って４箇所にそれぞれ設けていることを特徴としている。
【００２９】
この請求項２の連結ピン５のように、嵩上げ用長寸部５１の外面に設けられる係止リブ５４を周方向に角度９０°間隔を持って４箇所に設けていると、図４に示すように、１つの連結ピン５を、該連結ピン５の左右両側（角度１８０°方向）に２つの巾木６，６を装着する使用形態と、角部の位置において該連結ピン５に角度９０°方向に向く２つの巾木６，６を装着する使用形態とに選択して使用できる。
【００３０】
［本願請求項３の発明］
本願請求項３の発明は、請求項１又は２の枠組足場用の連結ピン５を使用して上下に積層される２つの建枠１，１の上下に対応する両脚柱１１，１１の端部同士を連結して構築された枠組足場の巾木取付構造を対象にしている。
【００３１】
そして、この請求項３の発明の枠組足場の巾木取付構造は、枠組足場における同一高さの左右に隣接する２つの連結ピン５，５を、該各連結ピン５，５に設けている各側の係止リブ５４，５４が相互に対向する状態で設置し、枠組足場に使用される巾木６として、該巾木６の長さ方向各端部６ａ，６ａに上記係止リブ５４に対して上方から係合させ得る縦向きの係合溝６１，６１を設けたものを使用し、枠組足場における同高さ位置で左右に隣接する位置にある２つの連結ピン５，５の各側の係止リブ５４，５４に巾木６の各係合溝６１，６１をそれぞれ上方から係合させて、両連結ピン５，５間に巾木６を装着していることを特徴としている。
【００３２】
この請求項３の発明では、巾木６の端部６ａに設けた係合溝６１の平面視形状を、連結ピン５の各係止リブ５４の平面視形状より僅かに大きくしており、巾木６側の係合溝６１部分を連結ピン５側の１つの係止リブ５４に対して上方から嵌合させることで、巾木６の端部ａを当該係止リブ５４に係合させ得るようになっている。尚、巾木６の各端部６ａ，６ａの係合溝６１，６１は、対応する各連結ピン５，５の係止リブ５４，５４に同時に係合させる。
【００３３】
又、この請求項３の枠組足場の巾木取付構造において、上記請求項２の連結ピン５（係止リブ５４を周方向の４箇所に設けたもの）を使用したものでは、枠組足場の左右端部に位置する各階層の角部において、図４に示すように角度９０°方向の２方向にそれぞれ巾木６，６を装着することができる。
【発明の効果】
【００３４】
［本願請求項の発明の効果］
本願請求項１の発明の枠組足場用の連結ピンは、次のような効果を有している。
【００３５】
（イ）上下に対応する両脚柱１１，１１の端部同士を連結する連結ピン５として、長さ方向中間部に上側脚柱１１を所定高さ嵩上げするための嵩上げ用長寸部５１を有しているので、この連結ピン５を使用すると、上下に積層される各建枠１，１が規格品の高さＡ（Ａ＝１７００mm）であっても、枠組足場の各階層の上下間隔を高身長の作業者の背丈より高い高さＢ（例えばＢ＝１９００mm）に設定することができる。従って、高身長の作業者であっても、布板２上で窮屈な姿勢（屈んだ姿勢）で作業しなくてよい。
【００３６】
（ロ）嵩上げの連結ピン５は、嵩上げ用長寸部５１の上下にそれぞれ挿入部５２，５３を設けた単純構造であるので、枠組足場の各階層の嵩上げ用の手段として安価であり、且つ取り扱い（組付け作業）が容易となる。
【００３７】
（ハ）嵩上げ用長寸部５１の外面に、巾木６の端部６ａを係脱自在に係合させ得る縦向きの係止リブ５４を設けているので、この連結ピン５を単なる連結用や嵩上げ用としての機能のほかに、巾木６の端部を係止するための部材として有効利用できる。
【００３８】
（ニ）上記係止リブ５４は、嵩上げ用長寸部５１の外面の少なくとも対向する２位置に設けているので、１つの連結ピン５の左右両側にそれぞれ各側の巾木６，６の端部６ａ，６ａを係合させることができる（１つの連結ピン５を巾木取付用として効率よく利用できる）。
【００３９】
［本願請求項２の発明の効果］
本願請求項２の発明は、請求項１の枠組足場用の連結ピンにおいて、連結ピン５における巾木端部係合用の係止リブ５４を、嵩上げ用長寸部５１の外面における周方向に角度９０°間隔を持って４箇所にそれぞれ設けているで、１つの連結ピン５で、該連結ピン５の左右両側（角度１８０°方向）に２つの巾木６，６を装着する使用形態と、該連結ピン５を角部とする角度９０°方向に２つの巾木６，６を装着する使用形態とに適用できる。
【００４０】
従って、請求項２の発明（連結ピン）では、上記請求項１の効果に加えて、１つの連結ピン５であっても、巾木取付用としての使用形態が多くなるという効果がある。
【００４１】
［本願請求項３の発明の効果］
本願請求項３の発明は、上記請求項１又は２の連結ピン５を使用して構築された枠組足場の巾木取付構造であって、連結ピン５に設けた係止リブ５４を利用して枠組足場の各階層に巾木６を装着している。
【００４２】
従って、この請求項３の枠組足場の巾木取付構造では、上記請求項１の（イ）〜（ニ）の各効果に加えて、巾木６を装着するのに、簡単な構成で且つ簡単な作業で実施できるという効果がある。
【図面の簡単な説明】
【００４３】
【図１】本願実施例に係る枠組足場用の連結ピン及びその関連部分の斜視図である。
【図２】図１の連結ピンを使用して構築された枠組足場の正面図である。
【図３】図２の枠組足場の左側面図である。
【図４】図２のIV−IV拡大断面図である。
【図５】図２のＶ部拡大図である。
【図６】図５のVI−VI断面図である。
【図７】従来（規格品）の建枠と、該建枠の積層方法を示す説明図である。
【図８】図７の上下脚柱の連結方法を示す説明図である。
【図９】図７の建枠を積層させた枠組足場の完成図である。
【発明を実施するための形態】
【００４４】
［実施例］
図１〜図６を参照して本願実施例の枠組足場用の連結ピン及び枠組足場の巾木取付構造を説明すると、図１には本願実施例で使用する連結ピン５を示しており、図２及び図３には図１の連結ピン５を使用して構築された枠組足場を示している。
【００４５】
本願実施例で使用する連結ピン５は、図１〜図６に示すように、上下に積層される２つの建枠１，１における上下に対応する両脚柱１１，１１の端部同士を連結するためのものである。尚、この連結ピン５は、後述する係止リブ５４を設けている関係で硬質合成樹脂材料で一体成形したものが好ましいが、金属製のものでもよい。
【００４６】
本願実施例で使用される建枠１は、図７に示す従来品と同じ規格品であって、前後一対の脚柱１１，１１の上端部同士を横架材１２で連結しているとともに、脚柱１１と横架材１２に跨がって補強枠１３を取付けて構成されている。建枠１の各脚柱１１，１１はパイプ製であり、該脚柱１１の上下各端部はそれぞれ開口している（図１の符号１５，１６参照）。
【００４７】
この実施例で使用する連結ピン５は、図１に示すように、長さ方向中間部に設けられていて下側脚柱１１に対して上側脚柱１１を所定高さ嵩上げし得る長さＴを持つ嵩上げ用長寸部５１と、該嵩上げ用長寸部５１の上下端部にそれぞれ下側脚柱１１及び上側脚柱１１の各端部開口１５，１６内にそれぞれ挿入可能な上下各挿入部５２，５３とを有して構成されている。尚、この実施例では、連結ピン５として、軽量化のために内部が中空のパイプ状のものが採用されている。
【００４８】
連結ピン５の嵩上げ用長寸部５１は、上下各脚柱１１，１１の端部開口１５，１６の内径より大径（脚柱１１の外径と同じ）で、上側建枠を下側建枠に対して所望高さだけ嵩上げし得る長さＴ（実施例ではＴ＝２００mm）を有している。
【００４９】
連結ピン５の上下各挿入部５２，５３は、脚柱１１の端部開口１５，１６内に過不足なし（ガタツキなし）に挿入し得る外径で、所定の挿入長さＵ（実施例ではＵ＝１００mm）を有している。
【００５０】
この連結ピン５の嵩上げ用長寸部５１の外面には、巾木６の端部６ａを係脱自在に係合させ得る縦向きの係止リブ５４，５４・・を設けている。この係止リブ５４は、この実施例では、嵩上げ用長寸部５１の外面における周方向に角度９０°間隔を持って４箇所（請求項２に対応）にそれぞれ設けている。尚、他の実施例では、各係止リブ５４は、少なくとも嵩上げ用長寸部５１の外面の対向する２箇所（請求項１に対応）だけに設けたものでもよい。
【００５１】
連結ピン５の各係止リブ５４は、平面視において幅が６mm程度で外方突出長さが１５mm程度であって、嵩上げ用長寸部５１の全長さ範囲Ｔ（２００mm）に亘って形成されている。各係止リブ５４の先端部には、幅方向に若干膨出させた膨出部が設けられている。尚、係止リブ５４における上記各寸法は特に限定するものではなく、適宜に設計変更可能である。
【００５２】
この実施例で使用される巾木６は、図１及び図４に示すように、例えば厚さが１０mm程度、高さが２００mm程度で、設置される場所によってそれぞれ所定長さのものが用いられる。即ち、図２に示すように左右向きに設置される巾木６では、左右長さが左右の建枠１，１間の間隔に対応して１８００mm弱程度に設定され、図３に示すように前後向きに設置される巾木６では、前後長さが建枠１の前後脚柱１１，１１間の間隔に対応する１２００mm弱程度に設定されている。
【００５３】
この実施例で使用される巾木６の各端部６ａ，６ａには、図１及び図４に示すように、連結ピン５の係止リブ５４に対して上方から係合させ得る縦向きの係合溝６１，６１を設けている。この各係合溝６１，６１は、その平面視形状が連結ピン５の各係止リブ５４の平面視形状より僅かに大きく形成されており、巾木６側の係合溝６１部分を連結ピン５側の１つの係止リブ５４に対して上方から嵌合させることで、巾木６の端部ａを当該係止リブ５４に係合させ得るようになっている（図１における符号６’の状態を参照）。尚、巾木６の各端部６ａ，６ａの係合溝６１，６１は、対応する各連結ピン５，５の係止リブ５４，５４に同時に係合させ得る。
【００５４】
そして、本願実施例では、規格品である複数（多数）の建枠１，１・・と、上下脚柱１１，１１間に介設される複数（多数）の連結ピン５，５・・と、複数（多数）の巾木６，６・・を用いて、次のようにして図２〜図６に示す枠組足場を構築する。
【００５５】
まず、地面Ｇ上に敷板及びジャッキ７（両高さＴ＝２００mm）を介して規格品からなる高さＡ（Ａ＝１７００mm）の建枠１を立設する。この建枠１は、左右方向に複数個を順次所定間隔をもって筋かい３，３で連結し、左右の建枠１，１の各横架材１２，１２に跨がって布板２を架設して１段目の枠組足場を組立てる。
【００５６】
次に、１段目の建枠１の脚柱（下側脚柱）１１の上部開口１５内に、図１に示すように連結ピン５の下向きの挿入部５２を嵩上げ用長寸部５１の下端が接するまで挿入し、続いて該連結ピン５の上向きの挿入部５３に２段目の建枠１の脚柱（上側脚柱）１１の下部開口１６を嵌合させると、上側脚柱１１を下側脚柱１１に対して嵩上げ用長寸部５１の長さＴ（Ｔ＝２００mm）だけ嵩上げした状態で連結できる。このように、連結ピン５を使用した下側脚柱１１と上側脚柱１１との連結は、建枠１の前後各脚柱１１，１１について行われるとともに、同様に下段の各建枠１，１・・に対してそれぞれ上段の各建枠１，１・・を連結する。このとき、隣接する２つの連結ピン５，５・・は、各側の係止リブ５４，５４が相互に左右（及び前後）に対向する状態で設置される。
【００５７】
以下、順次同様に、既設段の建枠１の脚柱１１上に連結ピン５を介して上段側の建枠１の脚柱１１を所定段数連結していき、さらに同高さにおける隣接する左右の連結ピン５，５の各係止リブ５４，５４間にそれぞれ巾木６，６・・の各端部の係合溝６１，６１を上方から嵌合させることで、図２及び図３に示す巾木付きの枠組足場を構築することができる。この場合、使用される巾木６としては、階層ごとに色彩の異なるものを使用すると、枠組足場の階層が識別し易くなる。尚、図２及び図３の枠組足場において、各連結ピン５付近の詳細は図４〜図６に示すようにシンプルな構造となっている。
【００５８】
そして、このように本願実施例の連結ピン５を使用して枠組足場を構築すると、次のような各種の効果が得られる。
【００５９】
第１に、この連結ピン５を使用して構築された図２及び図３の枠組足場では、各階層の高さＢが、それぞれ規格品の建枠１の高さＡ（Ａ＝１７００mm）に連結ピン５の嵩上げ用長寸部５１の高さＴ（Ｔ＝２００mm）を加えた合計１９００mmとなり、高身長（背丈が例えば１８００〜１９００mm）の作業員でも布板２上で屈むことなしに作業が行える。
【００６０】
第２に、嵩上げの連結ピン５は、嵩上げ用長寸部５１の上下にそれぞれ挿入部５２，５３を設けた単純構造であるので、枠組足場の各階層の嵩上げ用の手段として安価であり、且つ取り扱い（組付け作業）が容易となる。
【００６１】
第３に、この連結ピン５を使用したものでは、嵩上げ用長寸部５１の外面に巾木６の端部６ａを係脱自在に係合させ得る縦向きの係止リブ５４を設けているので、この連結ピン５を単なる連結用や嵩上げ用としての機能のほかに、巾木６の端部を係止するための部材として有効利用できる。
【００６２】
第４に、上記係止リブ５４は、嵩上げ用長寸部５１の外面の少なくとも対向する２位置に設けているので、１つの連結ピン５の左右両側にそれぞれ各側の巾木６，６の端部６ａ，６ａを係合させることができる（１つの連結ピン５を巾木取付用として効率よく利用できる）。
【００６３】
第５に、連結ピン５における巾木端部係合用の係止リブ５４を、嵩上げ用長寸部５１の外面における周方向に角度９０°間隔を持って４箇所にそれぞれ設けていると、１つの連結ピン５で、該連結ピン５の左右両側（角度１８０°方向）に２つの巾木６，６を装着する使用形態と、該連結ピン５を角部とする角度９０°方向に２つの巾木６，６を装着する使用形態とに適用でき、巾木取付用としての使用形態が多くなる。
【００６４】
第６に、巾木６を隣接する２つの連結ピン５，５間に装着するのに、両連結ピン５，５の対向する各係止リブ５４，５４に対して、巾木６の両端部に設けている各係合溝６１，６１を上方から嵌合する（落とし込む）ことで行える。従って、巾木６を装着するのに、簡単な構成で且つ簡単な作業で実施できる。
【００６５】
尚、図示はしていないが、枠組足場を解体する際に、連結ピン５が手中からこぼれて不用意に落下するのを防止するために、該連結ピン５の嵩上げ用長寸部５１部分に細チェーンや細ワイワー等の索の一端を連結しておく一方、該索の他端に建枠１の構造物（例えば補強枠１３）の適所に係止し得るフック等の係止具を取付けておくとよい。そして、、枠組足場の組付状態（連結ピン５の使用状態）で索の他端（係止具）を建枠１の構造物に係止しておくことで、枠組足場解体時に連結ピン５が手中からこぼれ落ちても、該連結ピン５が不用意に地上に落下することがない。
【符号の説明】
【００６６】
１は建枠、２は布板、５は連結ピン、６は巾木、１１は脚柱、１５は上部開口、１６は下部開口、５１は嵩上げ用長寸部、５２，５３は挿入部、５４は係止リブ、６１は係合溝である。
【図１】
2020200639.tif 000003
【図２】
2020200639.tif 000004
【図３】
2020200639.tif 000005
【図４】
2020200639.tif 000006
【図５】
2020200639.tif 000007
【図６】
2020200639.tif 000008
【図７】
2020200639.tif 000009
【図８】
2020200639.tif 000010
【図９】
2020200639.tif 000011